(57)【要約】【課題】本発明の開閉器に設けられた操作ロープ１の操作ロープ用固定解除装置３０は、積雪等により管理者以外の第３者が手の届く状態になった場合においても、管理者以外では操作できない構成を提供する。【解決手段】前記カバーケース１１内部に前記操作ロープ１a、１ｂを固定・解除させるため一端は前記スライド部材１４に設けられたスライドピン３に支持され、他端はスライド可能に支持された保持部材４ａ、４ｂと、前記スライド部材１４を動作させるため前記スライド部材１４に回転可能に連結された固定ネジ１０と、前記固定ネジ１０に連動する前記操作フック１２と、前記操作フック１２をカバーケース１１内に収容するために前記操作フック１２に設けたピン１８と前記操作フック１２を支持する構造板８の間に圧縮コイルバネ６を備えたことを特徴とする操作ロープ用固定解除装置。【選択図】図１
2006031958.tif 000002
【特許請求の範囲】
【請求項１】
開閉器に設けられた開閉操作用ロープを固定、解除操作するための装置であり、ロープ挿通孔１１ｂ、１１ｃを有するカバーケース１１内部にスライド部材１４および前記スライド部材１４に連動する操作フック１２を設けた操作ロープ用固定解除装置において、
操作ロープ用固定解除装置３０正面側下端部に対応した切欠き部１１ａを有する前記カバーケース１１と、前記カバーケース１１内部に前記操作ロープ１a、１ｂを固定・解除させるため一端は前記スライド部材１４に設けられたスライドピン３に支持され、他端はスライド可能に支持された保持部材４ａ、４ｂと、前記スライド部材１４を動作させるため前記スライド部材１４に回転可能に連結された固定ネジ１０と、前記固定ネジ１０に連動する前記操作フック１２と、前記操作フック１２をカバーケース１１内に収容するために前記操作フック１２に設けたピン１８と前記操作フック１２を支持する構造板８の間に圧縮コイルバネ６を備えたことを特徴とする操作ロープ用固定解除装置。
【請求項２】
開閉器に設けられた開閉操作用ロープを固定、解除操作するための装置であり、ロープ挿通孔１１ｂ、１１ｃを有するカバーケース１１内部にスライド部材１４および前記スライド部材１４に連動する操作フック１２を設けた操作ロープ用固定解除装置において、
操作ロープ用固定解除装置３０正面側下端部に対応した切欠き部１１ａを有する前記カバーケース１１と、カバーケース１１内部に前記操作ロープ１ａ、１ｂを固定・解除させるため一端はスライド部材１４に設けられたスライドピン３に支持され他端はスライド可能に支持された保持部材４ａ、４ｂと、前記操作フック１２をカバーケース１１内に収容し、かつ前記操作ロープを保持するために前記操作フック１２に連結された前記スライド部材１４と前記操作フック１２を支持する構造板８の間に圧縮コイルバネ６を備えることを特徴とする操作ロープ用固定解除装置。
【発明の詳細な説明】
【技術分野】
【０００１】
本発明は、電路設備の一つとして施設されている開閉器の操作ロープの操作に関する。
【背景技術】
【０００２】
電路中に施設されている開閉器には、電路の開放、投入操作のための操作ロープが取付けられ、その操作ロープの他端には「入」、「切」の色別表示や文字表示の入った取手が組み込まれている。
【０００３】
この開閉操作は、電気事業者や開閉器管理者が行うもので、前者以外の者が行うと重大事故につながるため、管理者以外が容易に操作できないように工夫がされている。例えば閉器の開閉操作ロープを開放・固定する装置が実公平７−５１７０８号報に提案されている。
【０００４】
上記提案では操作ロープ１を開放・固定する装置を第３者が容易に操作できない電柱の開閉器付近に設置し、しかも、専用操作器具を使用することにより開閉器の開閉操作ロープの固定、解除が電柱に登ることなく開閉器の操作が可能としたため、作業の安全性が確保でき作業時間の短縮にも貢献できた。
【０００５】
【特許文献１】実公平７−５１７０８号報
【発明の開示】
【発明が解決しようとする課題】
【０００６】
しかし、上記装置が地上より離れた高い位置の電柱上に取り付けられている場合でも、降雪の多い地方においては積雪により電柱に施設された前記操作ロープ用固定解除装置が容易に手の届く状態となることがあった。
【０００７】
そのような場合には、従来の操作ロープ用固定解除装置の構成では操作ロープ１を解除する操作フックがカバーケースより露出しているため管理者以外の第３者が容易に操作できる状態となり、操作ロープ用固定解除装置により固定された操作ロープ１が解除され、不用意に開閉器の操作をすることで重大事故に繋がる可能性があった。
【課題を解決するための手段】
【０００８】
本発明の開閉器に設けられた操作ロープ１の操作ロープ用固定解除装置３０は、積雪等により管理者以外の第３者が手の届く状態になった場合においても、管理者以外では操作できない構成を提供することにあり、第一の発明は開閉器に設けられた開閉操作用ロープを固定、解除操作するための装置であり、ロープ挿通孔１１ｂ、１１ｃを有するカバーケース１１内部にスライド部材１４および前記スライド部材１４に連動する操作フック１２を設けた操作ロープ用固定解除装置において、
操作ロープ用固定解除装置３０正面側下端部に対応した切欠き部１１ａを有する前記カバーケース１１と、前記カバーケース１１内部に前記操作ロープ１a、１ｂを固定・解除させるため一端は前記スライド部材１４に設けられたスライドピン３に支持され、他端はスライド可能に支持された保持部材４ａ、４ｂと、前記スライド部材１４を動作させるため前記スライド部材１４に回転可能に連結された固定ネジ１０と、前記固定ネジ１０に連動する前記操作フック１２と、前記操作フック１２をカバーケース１１内に収容するために前記操作フック１２に設けたピン１８と前記操作フック１２を支持する構造板８の間に圧縮コイルバネ６を備えたことを特徴とする操作ロープ用固定解除装置である。
【０００９】
第二の発明は、開閉器に設けられた開閉操作用ロープを固定、解除操作するための装置であり、ロープ挿通孔１１ｂ、１１ｃを有するカバーケース１１内部にスライド部材１４および前記スライド部材１４に連動する操作フック１２を設けた操作ロープ用固定解除装置において、
操作ロープ用固定解除装置３０正面側下端部に対応した切欠き部１１ａを有する前記カバーケース１１と、カバーケース１１内部に前記操作ロープ１ａ、１ｂを固定・解除させるため一端はスライド部材１４に設けられたスライドピン３に支持され他端はスライド可能に支持された保持部材４ａ、４ｂと、前記操作フック１２をカバーケース１１内に収容し、かつ前記操作ロープを保持するために前記操作フック１２に連結された前記スライド部材１４と前記操作フック１２を支持する構造板８の間に圧縮コイルバネ６を備えることを特徴とする操作ロープ用固定解除装置である。
【発明の効果】
【００１０】
本発明である第一の発明および第二の発明の操作ロープ用固定解除装置３０は、操作ロープ１固定時においては圧縮コイルバネ６により操作フック１２、２３が切欠き１１ａを有するカバーケース１１内に収容されていて、先端部５０ａが鍵形状をした専用操作器具５０のみで操作できる構成であるため、降雪の多い地方において積雪等により仮に該装置３０と第３者が接近し操作可能状態になった場合においても管理者以外は操作できず安全である。
【００１１】
さらに第一の発明であれば、操作ロープ１を固定、解除するためには操作フック１２と一体化した固定ネジ１０を利用しているため、操作フック１２を用いて数回、回転させることで操作ロープを簡単に固定、解除することができる。
【００１２】
また、第二の発明であれば、操作ロープ１は操作フック２３に設けたピン２１と保持パイプに設けたスリット部２２ｂおよび半円状の切欠き部２２ａ、と前記圧縮コイルバネ６により操作フック２３を９０°回転させることで固定でき、さらに操作フック２３を下げながら９０°回転させることで解除される簡易構成なため管理者の作業性向上に繋がる。
【発明を実施するための最良の形態】
【００１３】
次に本発明の好ましい実施の形態を図１から図６の実施例にしたがって説明する。
【実施例１】
【００１４】
第一実施例を図１から図３を参考に説明する。
本発明は、柱上に設けられた開閉器の開閉操作に使用する操作ロープ１を固定、解除するための操作ロープ用固定解除装置３０であり、通常は開閉器近傍で開閉器の管理者以外の第３者が操作出来ない電柱上に設置されている。
【００１５】
操作ロープ用固定解除装置３０は、図示しない開閉器の操作ハンドルに設けられた操作ロープ１を固定、解除するための機構部と機構部を操作するための操作フック１２と前記操作フック１２を覆うための樹脂材料により成型されたカバーケース１１と操作ロープ用固定解除装置３０を電柱に取付けるための取付け部２４から構成されている。
【００１６】
操作ロープ１は操作ロープ用固定解除装置３０のカバーケース１１に設けた操作ロープ挿通孔１１ｂ、１１ｃを介しカバーケース１１外に延伸して設けられ操作ロープ１の先端には操作用の「入」、「切」の表示がある取手１３ａ、１３ｂが取付けられている。
【００１７】
カバーケース１１の正面側（裏面側は電柱側）には専用操作器具５０にて操作フック１２が操作出来るように切欠き部１１ａが設けられている。
【００１８】
カバーケース１１内に設けられた固定解除機構には断面形状が略コの字の鋼板等で成型された構造板８に操作ロープ１を固定するための両側に設けられた保持板４ａ、４ｂが保持板４ａ、４ｂに設けられた長穴にスライド可能に固定ピン２により構造板８に支持されている。
【００１９】
構造板８の裏面側には断面が略コの字形状をした鋼板にて成型された操作ロープ固定板１５が構成され、操作ロープ１は前記保持部材４ａ、４ｂの端部と操作ロープ固定板１に設けられた曲げ部１５ｂ、１５ｃとに狭持され固定されている。
【００２０】
また、両側に設けられた保持板４ａ、４ｂの他端部（構造体８の中央側）は、前記保持板４ｂと前記構造体８の間に設けられた断面がＬ字形状をした鋼板にて成型されたスライド部材１４の鉛直面側（構造体８と平行面側）に設けられたスライドピン３を介して保持されて、さらにスライドピン３は構造体８と操作ロープ固定板１５に設けられた長穴８ａ、１５ａを上下動作するよう支持されている。
【００２１】
スライド部材１４の曲げ部１４ａには穴が設けられ、支持ネジ１６は前記穴に挿通させ固定ネジ１０の上部内側に設けられたネジ部とネジ固定し、スライド部材１４に対しては回転可能に固定されている。
【００２２】
固定ネジ１０は中空形状をしており、上部には先端部から１／３程度までスリット２２ａが設けられており、固定ネジ１０内部の全領域と外部でのスリット部１０ａより下側にはネジ加工が施されている。
【００２３】
固定ネジ１０は構造体８の曲げ下部８ｂに設けられた穴と同軸上に溶接固定されている内部にネジ加工を施した保持ネジ部材９にてネジ支持されているため、固定ネジ１０を回転させることで保持ネジ部材９に対して固定ネジ１０が上下動作することで、固定ネジ１０の上端部に取付けられたスライド部材１４も同様に上下動作する。
【００２４】
スライド部材１４が上下することでスライド部材１４に支持された保持部材４ａ、４ｂのスライドピン３側が上下することで操作ロープ１を固定（図１参照）、解除（図２参照）することが出来る。
【００２５】
前記固定ネジ１０を操作するために、下端に輪形状を備え輪部より延伸した棒部を備えた操作フック１２は棒部を固定ネジ１０の中空部に挿通し、さらに固定ネジ１０設けられたスリット２２ａ部と棒部先端に設けられた図示しない穴にピン１８が前記スリット１０ａ部を延伸するように固定している。
【００２６】
ピン１８の下部には平ワッシャー７を設け、平ワッシャー７と構造体８の曲げ部８ｂの間に前記操作フック１２を持ち上げるように圧縮コイルバネ６が固定ネジ１０と同軸上に配置されており、操作フック１２の輪部近傍にはネジ加工を施し、そこにナット１７を設けていることで圧縮コイルバネ６による操作フック１２の上限位置を規制している。
【００２７】
上記の構成により操作フック１２を回転させることで上部に設けられたピン１８を介して固定ネジ１０が回転され、固定ネジ１０の上端部に支持しているスライド部材１４が上下することで、保持部材４ａ、４ｂを動作させている。
【００２８】
また、操作フック１２は圧縮コイルバネ６により常時は上方向に引き上げられ、カバーケース１１内部に収容されている。
【００２９】
操作フック１２を動作させる場合は、操作ロープ１が固定されている状態においては操作フック１２の輪部の最大径部分がカバーケースに干渉するため、その状態においては操作できないが、操作フック１２をカバーケース１１に設けた切り欠き部の直線部分まで下げることで回転可能となるため、専用操作器具５０の鍵状に形成された先端部５０ａを操作フック１２の輪部に挿通させ、下げながら回転させることで、操作ロープ１ａ、１ｂの解除、固定が可能となる。
【００３０】
次に第２実施例について図３から図６を参照に第１実施例と特に異なる箇所を中心に説明するについて説明する。
【００３１】
第２実施例の操作ロープ用固定解除装置３０も第１実施例同様、概略構成は開閉器に設けられた開閉用の操作ロープ１を固定、解除するための固定解除機構部と機構部を操作するための操作フック２３を覆うためのカバーケース１１と操作ロープ用固定解除装置３０を電柱に取付けるための取付け部から構成されている。
【００３２】
操作ロープ１を固定、解除するための機構部は第１実施例と同様、操作ロープ１を固定、解除するための保持部材４ａ、４ｂ、保持部材４ａ、４ｂを動作させるスライド部材１４、及び保持部材４ａ、４ｂの動作を規制しているスライドピン３、固定ピン２が設けられている。
【００３３】
構造体８の下部曲げ部８ｂに設けられた穴と同軸上には中空の保持パイプ２２が溶接固定され、下部に輪形状を備え、延伸した棒部を備えた操作フック２３は保持パイプ２２より挿通され、スライド部材１４の曲げ部１４ａに設けられた穴を貫通し回転可能に支持されている。
【００３４】
保持パイプ２２には半円状の切り欠き部２２ｂ（図４参照）と前記切り欠き部に対して約９０°ずれた位置に設けたスリット２２ａ部（図６参照）が設けられている。
【００３５】
また、スライド部材１４の曲げ部１４ａ下面側と構造体８に設けられた部曲げ部８ｂ上面側の間に圧縮コイルバネ６が操作フック１２の棒部と同軸上に配置されている。
【００３６】
さらに、操作フック１２の棒部で輪部近傍にはネジ加工が施され上限位置を規制するためのナット１７がネジ固定されて、棒部の１／２程度の位置にはピン２１が固定されている。
【００３７】
上記構成により、常時、操作フック１２は図４に示すように輪部が正面側を向き、操作フック２３に設けたピン１８は保持パイプ２２に設けたスリット２２ａに位置した状態で、カバーケース１１内に収納されて操作ロープ１が固定されている。
【００３８】
次に、操作ロープ１を解除する場合には、カバーケース１１に設けた切欠き部１１ａを介して専用操作器具５０にて操作フック２３に先端部５０ａを引っ掛け、操作フック２３に取付けたピン１８が保持パイプ２２の下端部を超えた位置にまで下げ、そこで９０°回転させることで、前記ピン１８が保持パイプ２２に設けた半円状の切欠き部２２ｂに入り込み操作ロープ１が解除される。
【００３９】
上記説明の通り、第一実施例、第二実施例とも操作ロープ１が固定されている時においては、操作フック１２、２３がカバーケース１１内部に収納された状態となることで、管理者以外の第３者が容易に操作できず、操作ロープ１解除時においては、管理者が保有する専用操作器具５０を用い操作フック１２、２３を下げながら回転させることで操作ロープ１が解除できる。
【００４０】
第一実施例において、操作フック１２を下げながら操作するのは、カバーケース１１と操作フック１２の輪部の最大径が干渉しない位置で操作するためであり、第二実施例においては、操作フック２３に設けたピン２１が保持パイプ２２に設けられたスリット２２ａ部からの拘束を解除するためである。
【００４１】
また、第一実施例においての圧縮コイルバネ６は操作フック１２をカバーケース１１に収容できる力量が設定されており、操作ロープ１の保持力は固定ネジ１０の締め付け力にて規定され、第二実施例においての圧縮コイルバネ６は操作ロープ１を固定するための力量が設定されている。
【図面の簡単な説明】
【００４２】
【図１】本発明である操作ロープ用固定解除装置の第一実施例の操作ロープ固定状態での正面図
【図２】本発明である操作ロープ用固定解除装置の第一実施例の操作ロープ開放状態での正面図
【図３】第一実施例での操作ロープ用固定解除装置の断面図
【図４】本発明である操作ロープ用固定解除装置の第二実施例の操作ロープ固定状態での正面図
【図５】本発明である操作ロープ用固定解除装置の第二実施例の操作ロープ開放状態での正面図
【図６】第二実施例での操作ロープ用固定解除装置の断面図
【符号の説明】
【００４３】
１    操作ロープ
２    固定ピン
３    スライドピン
４    保持部材
６    圧縮コイルバネ
７    平ワッシャー
８    構造板
９    保持ネジ部材
１０  固定ネジ
１１  カバーケース
１２  操作フック
１３  取手
１４  スライド部材
１５  操作ロープ固定板  
１６  支持ネジ
１７  ナット
１８  ピン
２０  ネジ
２１  ピン
２２  保持パイプ
２３  操作フック
２４  取付け部材
３０  操作ロープ用固定解除装置
４０  電柱
５０  専用操作器具
【図１】
2006031958.tif 000003
【図２】
2006031958.tif 000004
【図３】
2006031958.tif 000005
【図４】
2006031958.tif 000006
【図５】
2006031958.tif 000007
【図６】
2006031958.tif 000008